(57)【要約】  本開示の実施形態は、複数の送受信ポイント（ＴＲＰ）送信に対してレポートするチャネル状態情報（ＣＳＩ）の方法、デバイス及び装置に関する。本開示の実施形態の方法は、ＣＳＩ取得のためのチャネル状態情報参照信号（ＣＳＩ−ＲＳ）リソースセットに対し、端末機器にサービスを提供する複数のＴＲＰのうちの第１ＴＲＰに関する第１ＣＳＩレポートを送信することを含むことができる。当該方法はさらに、ＣＳＩ−ＲＳリソースセットに対し、端末機器にサービスを提供する複数のＴＲＰのうちの第２ＴＲＰに関する第２ＣＳＩレポートを送信することを含むことができる。本開示の実施形態により、複数のＴＲＰ送信に対するＣＳＩレポーティングをサポートすることができる。【選択図】図２
2021534602.tif 000002
【特許請求の範囲】
【請求項１】
ＣＳＩ取得のためのチャネル状態情報参照信号（ＣＳＩ−ＲＳ）リソースセットについて、端末機器にサービスを提供する複数のＴＲＰのうちの第１ＴＲＰに関する第１ＣＳＩレポートを送信することと、
前記ＣＳＩ−ＲＳリソースセットについて、前記端末機器にサービスを提供する前記複数のＴＲＰのうちの第２ＴＲＰに関する第２ＣＳＩレポートを送信することと、
を備える、
複数の送受信ポイント（ＴＲＰ）送信についてのチャネル状態情報（ＣＳＩ）レポートの送信に用いられる方法。
【請求項２】
前記第１ＣＳＩレポートは、前記第１ＴＲＰに関する第１ランク指示を含み、
前記第２ＣＳＩレポートは、前記第２ＴＲＰに関する第２ランク指示を含み、
前記第１ランク指示は、前記第１ＴＲＰに関するランク指示値を示し、
前記第２ランク指示は、前記第１ＴＲＰに関する前記ランク指示値に対するオフセット値を示す、
請求項１に記載の方法。
【請求項３】
前記オフセット値は、前記第２ＴＲＰに関するランク指示値が、前記第１ＴＲＰに関する前記ランク指示値より高い、低い又はそれと等しいことを示す、
請求項２に記載の方法。
【請求項４】
前記複数のＴＲＰのうち、より大きいランク指示値を有する１つのＴＲＰが、前記第１ＴＲＰとして確定され、前記オフセット値は、前記第２ＴＲＰに関するランク指示値が、前記第１ＴＲＰに関する前記ランク指示値以下であることを示す、
請求項２に記載の方法。
【請求項５】
前記複数のＴＲＰのうち、より小さいランク指示値を有する１つのＴＲＰが、前記第１ＴＲＰとして確定され、前記オフセット値は、前記第２ＴＲＰに関するランク指示値が、前記第１ＴＲＰに関する前記ランク指示値以上であることを示す、
請求項２に記載の方法。
【請求項６】
前記ＣＳＩ−ＲＳリソースセットは前記複数のＴＲＰについての複数のＣＳＩ−ＲＳリソースサブセットに分割され、
前記ＣＳＩ−ＲＳリソースサブセットにおける第１サブセットは、前記第１ＴＲＰのＣＳＩの取得に用いられ、
前記ＣＳＩ−ＲＳサブセットにおける第２サブセットは、前記第２ＴＲＰのＣＳＩの取得に用いられる、
請求項１〜５のいずれか１項に記載の方法。
【請求項７】
前記第１ＣＳＩレポート及び前記第２ＣＳＩレポートの各々は、ＣＳＩ−ＲＳリソース指示、ランク指示、プリコーディング行列インジケータ、チャネル品質指標、及びレイヤ指示のうちの１つ又は複数を含む、
請求項１〜６のいずれか１項に記載の方法。
【請求項８】
ＣＳＩ取得のためのチャネル状態情報参照信号（ＣＳＩ−ＲＳ）リソースセットについて、端末機器にサービスを提供する複数のＴＲＰのうちの第１ＴＲＰに関する第１ＣＳＩレポートを受信することと、
前記ＣＳＩ−ＲＳリソースセットについて、前記端末機器にサービスを提供する複数のＴＲＰのうちの第２ＴＲＰに関する第２ＣＳＩレポートを受信することと、
を備える、
複数の送受信ポイント（ＴＲＰ）送信についてのチャネル状態情報（ＣＳＩ）レポートの受信に用いられる方法。
【請求項９】
前記第１ＣＳＩレポートは、前記第１ＴＲＰに関する第１ランク指示を含み、
前記第２ＣＳＩレポートは、前記第２ＴＲＰに関する第２ランク指示を含み、
前記第１ランク指示は、前記第１ＴＲＰに関するランク指示値を示し、
前記第２ランク指示は、前記第１ＴＲＰに関する前記ランク指示値に対するオフセット値を示し、
前記方法は、さらに、
前記オフセット値及び前記第１ＴＲＰに関する前記ランク指示値に基づき、前記第２ＴＲＰに関する前記ランク指示値を確定することを含む、
請求項８に記載の方法。
【請求項１０】
前記オフセット値は、前記第２ＴＲＰに関するランク指示値が、前記第１ＴＲＰに関する前記ランク指示値より高い、低い又はそれと等しいことを示す、
請求項９に記載の方法。
【請求項１１】
前記オフセット値は、前記第２ＴＲＰに関するランク指示値が、前記第１ＴＲＰに関する前記ランク指示値以下であることを示す、
請求項９に記載の方法。
【請求項１２】
前記オフセット値は、前記第２ＴＲＰに関するランク指示値が、前記第１ＴＲＰに関する前記ランク指示値以上であることを示す、
請求項９に記載の方法。
【請求項１３】
前記ＣＳＩ−ＲＳリソースセットは前記複数のＴＲＰについての複数のＣＳＩ−ＲＳリソースサブセットに分割され、
前記ＣＳＩ−ＲＳリソースサブセットにおける第１サブセットは、前記第１ＴＲＰのＣＳＩの取得に用いられ、
前記ＣＳＩ−ＲＳサブセットにおける第２サブセットは、前記第２ＴＲＰのＣＳＩの取得に用いられる、
請求項８〜１２のいずれか１項に記載の方法。
【請求項１４】
前記第１ＣＳＩレポート及び前記第２ＣＳＩレポートの各々は、ＣＳＩ−ＲＳリソース指示、ランク指示、プリコーディング行列インジケータ、チャネル品質指標、及びレイヤ指示のうちの１つ又は複数を含む、
請求項８〜１３のいずれか１項に記載の方法。
【請求項１５】
送受信機と、
プロセッサと、
を備え、
前記プロセッサは、請求項１〜７のいずれか１項に記載の方法を実行する、又は、前記送受信機を制御して、請求項１〜７のいずれか１項に記載の方法を実行させるように構成される、
端末機器。
【請求項１６】
送受信機と、
プロセッサと、
を備え、
前記プロセッサは、請求項８〜１４のいずれか１項に記載の方法を実行する、又は、前記送受信機を制御して、請求項８〜１４のいずれか１項に記載の方法を実行させるように構成される、
ネットワーク機器。
【請求項１７】
プロセッサと、
前記プロセッサに結合されプログラムコードを有するメモリと、
を備え、
前記プログラムコードが前記プロセッサ上で実行される場合に、請求項１〜７のいずれか１項に記載の操作を実行する、
端末機器。
【請求項１８】
プロセッサと、
前記プロセッサに結合されプログラムコードを有するメモリと、
を備え、
前記プログラムコードが前記プロセッサ上で実行される場合に、請求項８〜１４のいずれか１項に記載の操作を実行する、
ネットワーク機器。
【発明の詳細な説明】
【技術分野】
【０００１】
本開示の非限定的且つ例示的な実施形態は、全体として、無線通信技術の分野に関し、具体的には、複数の送受信ポイント（ＴＲＰ：Transmission Reception Point）送信についてのチャネル状態情報（ＣＳＩ：Channel State Information）レポートの送信と、複数のＴＲＰ送信についてのＣＳＩレポートの受信に用いられる方法、デバイス及び装置に関する。
【背景技術】
【０００２】
Ｎｅｗ  Ｒａｄｉｏ無線アクセスシステム（ＮＲシステム又はＮＲネットワークとも称する）は、次世代の通信システムである。第３世代パートナーシッププロジェクト（３ＧＰＰ）ワークグループの無線アクセスネットワーク（ＲＡＮ：Radio Access Network）＃７１会議では、ＮＲシステムの研究が承認された。ＮＲシステムは、１００ＧＨｚまでの周波数帯域を考慮するもので、その目標は、１つの技術的枠組みにより技術レポートＴＲ  ３８．９１３で定義された全ての使用状況、要求及び設定プランを解決し、当該システムには、拡張モバイルブロードバンド、大規模マシンタイプ通信及び超高信頼・低遅延通信の要求が含まれる。
【０００３】
２０１６年５月より、ＮＲについてマルチアンテナ技術の議論が開始されており、その内容はマルチアンテナ計画、ビーム管理，チャネル状態情報（ＣＳＩ：Channel State Information）取得、参照信号及び疑似コロケーション（ＱＣＬ：Quasi-Co-Located）を含んだいくつかの方面に及んでいる。ＮＲシステムでは、単一ＴＲＰ送信及び複数のＴＲＰ送信の両方が合意されている。
【０００４】
ＮＲにおけるコードワード（ＣＷ：codeword）のレイヤへのマッピングについても、すでに以下のとおり合意されている。
・ＮＲは、各ＵＥに対し、ＰＤＳＣＨ／ＰＵＳＣＨの割当にあたり、以下の数のＣＷをサポートする。
−レイヤ１〜４の送信に対し：１つのＣＷ
−レイヤ５〜８の送信に対し：２つのＣＷ
・以下のような作業の想定を、合意として確認する。
−レイヤ３及びレイヤ４の送信について、ＮＲは、各ＵＥに対し、物理下りリンク共有チャネル（ＰＤＳＣＨ：Physical Downlink Shared Channel）／物理上りリンク共有チャネルＰＵＳＣＨ（Physical Uplink Shared Channel）の割当にあたり、１つのＣＷをサポートする。
今後、さらに研究が進めば：２−ＣＷの３つのレイヤへのマッピング、及び２−ＣＷの４つのレイヤへのマッピングをサポートする。
・１つのＣＷに属するＤＭＲＳポートグループは、異なるＱＣＬ仮定を有することができる。
・１つの上りリンク（ＵＬ：Uplink）又は下りリンク（ＤＬ：Downlink）の関連する下りリンク制御指示（ＤＣＩ：Downlink Control Indication）は、ＣＷ毎に、１つの（ＭＣＳ：Modulation and Coding Scheme）を含む。
・ＣＷ毎に１つのチャネル品質指標（ＣＱＩ：Channel Quality Indication）が算出される。
【０００５】
ＮＲにおけるＣＳＩレポーティングに関し、以下の内容の追加が合意されている。
「ＵＥに、「ＣＳＩ−ＲＳリソース指示（ＣＲＩ：CSI-RS Resource Indication）／ランク指示（ＲＩ：Rank Indication）／プリコーディング行列インジケータ（ＰＭＩ：Precoding Matrix Indicator）／チャネル品質指標」、「ＣＲＩ／ＲＩ／ｉ１」、「ＣＲＩ／ＲＩ／ｉ１／ＣＱＩ」、「ＣＲＩ／ＲＩ／ＣＱＩ」又は「ＣＲＩ／ＲＩ／レイヤ指標（ＬＩ：Layer indicator）／ＰＭＩ／ＣＱＩ」として設定される高レイヤパラメータ（higher layer parameter）ＲｅｐｏｒｔＱｕａｎｔｉｔｙが設定され、チャネル測定のための対応するリソースセットに、複数のリソースが設定される場合、ＵＥは、レポートするＣＲＩを条件とするＣＲＩ以外のＣＳＩパラメータを取得しなければならない。」
【０００６】
個別のＴＲＰに由来する１つのＰＤＳＣＨ及び複数のＰＤＳＣＨに関し、さらに次のように同意されている。
・ＮＲ受信に対し、以下の処理を採用する。
−１つのＮＲ−ＰＤＣＣＨが１つのＮＲ−ＰＤＳＣＨをスケジューリングし、個別のレイヤは、個別のＴＲＰにより送信される。
−複数のＮＲ−ＰＤＣＣＨのそれぞれは、対応するＮＲ−ＰＤＳＣＨをスケジューリングし、各ＮＲ−ＰＤＳＣＨは個別のＴＲＰから送信される。
−注：１つのＮＲ−ＰＤＣＣＨが１つのＮＲ−ＰＤＳＣＨをスケジューリングする場合は、規格透明化（spec-transparent）方式により行うことができ、この場合では、各レイヤは全てのＴＲＰから併せて送信される。
−注：以上の状況でのＣＳＩフィードバックの詳細は、個別に論じることが可能である。
【０００７】
複数のＴＲＰ／パネル（panel）送信は優先度が下げられたため、リリース１５では詳細に議論されていない。したがって、現在のＮＲ、ＣＳＩ−ＲＳの設定及びＴＣＩ状態設定は、１つのＴＲＰ／パネルに基づいている。複数のＴＲＰ送信に対し、ＴＲＰはＱＣＬを行わない。したがって、単一ＴＲＰ送信のためのＣＳＩ測定及びレポーティングの解決手段は、複数のＴＲＰ送信に応用することができない。
【発明の概要】
【発明が解決しようとする課題】
【０００８】
このため、本開示では、従来技術の問題のうち少なくとも一部を軽減し、又は少なくとも緩和するために、複数のＴＲＰ送信についてのＣＳＩレポートの新しい解決手段を提供する。理解すべき点として、本明細書に開示の基本的概念は、複数のパネル送信にも用いることができる。ここで、パネルとは、一群のアンテナである。
【課題を解決するための手段】
【０００９】
本開示の第１の態様では、複数のＴＲＰ送信についてのＣＳＩレポートの送信に用いられる方法が提供される。該方法は、ＣＳＩ取得のためのチャネル状態情報参照信号（ＣＳＩ−ＲＳ）リソースセットに対し、端末機器にサービスを提供する複数のＴＲＰのうちの第１ＴＲＰに関する第１ＣＳＩレポートを送信することと、前記ＣＳＩ−ＲＳリソースセットに対し、前記端末機器にサービスを提供する前記複数のＴＲＰのうちの第２ＴＲＰに関する第２ＣＳＩレポートを送信することと、を含むことができる。
【００１０】
本開示の第２の態様では、複数のＴＲＰ送信についてのＣＳＩレポートの受信に用いられる方法が提供される。該方法は、ＣＳＩ取得のためのチャネル状態情報参照信号（ＣＳＩ−ＲＳ）リソースセットに対し、端末機器にサービスを提供する複数のＴＲＰのうちの第１ＴＲＰに関する第１ＣＳＩレポートを受信することと、前記ＣＳＩ−ＲＳリソースセットに対し、前記端末機器にサービスを提供する複数のＴＲＰのうちの第２ＴＲＰに関する第２ＣＳＩレポートを受信することと、を含むことができる。
【００１１】
本開示の第３の態様では、複数のＴＲＰ送信についてのＣＳＩレポートを送信するように構成される端末機器が提供される。該端末機器は、送受信機と、プロセッサとを含むことができる。該プロセッサは送受信機を制御して以下の方法を実行させるように構成される。すなわち、ＣＳＩ取得のためのチャネル状態情報参照信号（ＣＳＩ−ＲＳ）リソースセットに対し、端末機器にサービスを提供する複数のＴＲＰのうちの第１ＴＲＰに関する第１ＣＳＩレポートを送信することと、ＣＳＩ−ＲＳリソースに対し、端末機器にサービスを提供する複数のＴＲＰのうちの第２ＴＲＰに関する第２ＣＳＩレポートを送信することと、を実行させる。
【００１２】
本開示の第４の態様では、複数のＴＲＰ送信についてのＣＳＩレポートを受信するように構成されるネットワーク機器が提供される。該ネットワーク機器は、送受信機と、プロセッサとを含むことができる。該プロセッサは送受信機を制御して以下の方法を実行させるように構成される。すなわち、ＣＳＩ取得のためのチャネル状態情報参照信号（ＣＳＩ−ＲＳ）リソースセットに対し、端末機器にサービスを提供する複数のＴＲＰのうちの第１ＴＲＰに関する第１ＣＳＩレポートを受信することと、ＣＳＩ−ＲＳリソースセットに対し、端末機器にサービスを提供する複数のＴＲＰのうちの第２ＴＲＰに関する第２ＣＳＩレポートを受信することと、を実行させる。
【００１３】
本開示の第５の態様では、端末機器が提供される。該端末機器は、プロセッサと、メモリとを含むことができる。該メモリは、プロセッサに結合されプログラムコードを有することができ、該プログラムコードは、プロセッサ上で実行される場合に、端末機器に、第１の態様のいずれかの実施形態による方法の操作を実行させる。
【００１４】
本開示の第６の態様では、ネットワーク機器が提供される。該ネットワーク機器は、プロセッサと、メモリとを含むことができる。メモリは、プロセッサに結合されプログラムコードを有することができ、該プログラムコードは、プロセッサ上で実行される場合に、ネットワーク機器に、第２の態様のいずれかの実施形態による方法の操作を実行させる。
【００１５】
本開示の第７の態様では、コンピュータプログラムコードが実装されるコンピュータ可読記憶媒体が提供される。該コンピュータプログラムコードは、実行される場合に、装置に、第１の態様のいずれかの実施形態による方法の動作を実行させるように構成される。
【００１６】
本開示の第８の態様では、コンピュータプログラムコードが実装されるコンピュータ可読記憶媒体が提供される。該コンピュータプログラムコードは、実行される場合に、装置に、第２の態様のいずれかの実施形態による方法の動作を実行させるように構成される。
【００１７】
本開示の第９の態様では、コンピュータプログラム製品が提供される。該コンピュータプログラム製品は、第７の態様のコンピュータ可読記憶媒体を含む。
【００１８】
本開示の第１０の態様では、コンピュータプログラム製品が提供される。該コンピュータプログラム製品は、第８の態様のコンピュータ可読記憶媒体を含む。
【００１９】
本開示の実施形態により、複数のＴＲＰ送信についてのＣＳＩレポートをサポートすることができる。いくつかの実施形態ではさらに、ＣＳＩレポートのシグナリングのオーバーヘッドを減少させることができる。
【００２０】
発明の概要部分の記述は、本開示の実施形態の重要な又は必要な特徴を示すことを意図したものではなく、本開示の範囲を制限することも意図していないことは理解されるべきである。本開示のその他の特徴は、以下の説明により容易に理解できるはずである。
【図面の簡単な説明】
【００２１】
以下、図面を参照して実施形態を詳細に説明し、本開示の上述の及びその他の特徴をさらに明らかにする。全ての図において、類似の図面符号は、同一又は類似の要素を示す。
【００２２】
【図１】本開示を実現可能な複数のＴＲＰ送信の例示的場面を示す図である。
【００２３】
【図２】本開示のいくつかの実施形態による、複数のＴＲＰ送信についてのＣＳＩレポートを端末機器で送信するための方法のフローチャートを示す図である。
【００２４】
【図３】本開示のいくつかの実施形態による、２つのＴＲＰに係る複数のＴＲＰ送信についてのレイヤ数の可能な組合せを示す図である。
【００２５】
【図４】本開示のいくつかの実施形態による、２つのＴＲＰに係る複数のＴＲＰ送信についてのレイヤ数の可能な組合せを示す図である。
【００２６】
【図５】本開示のいくつかの実施形態による、２つのＴＲＰに係る複数のＴＲＰ送信についてのレイヤ数の可能な組合せを示す図である。
【００２７】
【図６】本開示のいくつかの実施形態による、複数のＴＲＰ送信についてのＣＳＩレポートをネットワーク機器で受信するための方法のフローチャートを示す図である。
【００２８】
【図７】本開示のいくつかの実施形態による、端末機器でＣＳＩレポートを送信するための装置のブロック図を概略的に示す図である。
【００２９】
【図８】本開示のいくつかの実施形態による、ネットワーク機器でＣＳＩレポートを受信するための装置のブロック図を概略的に示す図である。
【００３０】
【図９】本明細書で説明した、ＵＥなどの端末機器として実施可能であるか又は端末機器に設置可能な装置９１０、及びｇＮＢなどのネットワーク機器として実施可能であるか又はネットワーク機器に設置可能な装置９２０の簡略化されたブロック図を概略的に示す図である。
【発明を実施するための形態】
【００３１】
以下、図面を参照しつつ実施形態を通して、本開示で提供する解決手段を詳細に説明する。理解すべき点として、これらの実施形態は、当業者が本開示をより適切に理解し実現することができるようにするためのものであり、本開示の範囲に対する何らかの制限を意図するものではない。
【００３２】
図面において、本開示の各実施形態はブロック図、フローチャート又は他の図によって示されている。フローチャート又はブロック図における各ブロックは、指定された論理機能を実行するための１つの又は複数の実行可能な指令を含むモジュール、プログラム又はコード部分を表すことができ、本開示において、不要なブロックは点線で示される。また、これらのブロックは、方法を実行するためのステップを具体的な順序で示しているが、実際は必ずしも、示された順序に厳格に従い実行する必要はない。例えば、反対の順序で又は同時に実行することができる。これは対応する操作の性質により決まる。さらに注意すべき点として、ブロック図及び／又はフローチャート内の各ブロック及びその組合せは、指定された機能／操作を実行するための専用ハードウェアに基づくシステムにより実現することができ、又は専用ハードウェアとコンピュータの指令との組合せにより実現することができる。
【００３３】
文中で別に定義がある場合を除き、請求項において使用される全ての用語は、本分野での一般的な意味に基づき解釈される。別に明示されていない限り、「１つ／１つの／該／前記［要素、デバイス、コンポーネント、手段、ステップ等］」の全ての引用は、前記要素、デバイス、コンポーネント、手段、ユニット、ステップ等の少なくとも１つの実例を指すものであるとオープンに解釈されるべきであり、複数のこうしたデバイス、コンポーネント、手段、ユニット、ステップ等を排除するものではない。また、文中で使用される不定冠詞「１つ／１つの」は、複数のこうしたステップ、ユニット、モジュール、デバイス及びオブジェクト等を排除するものではない。
【００３４】
また、本開示の文脈において、ユーザ機器（ＵＥ）は端末、移動端末（ＭＴ）、加入者局装置、携帯式加入者局装置、移動局（ＭＳ）又はアクセス端末（ＡＴ）を指すことができ、また、ＵＥ、端末、ＭＴ、ＳＳ、携帯式加入者局装置、ＭＳ又はＡＴの一部又は全部の機能を含めることができる。また、本開示の文脈において、用語「ＢＳ」は、例えばノードＢ（ＮｏｄｅＢ又はＮＢ）、進化型ＮｏｄｅＢ（ｅＮｏｄｅＢ又はｅＮＢ）、ｇＮＢ（次世代ノードＢ）、無線ヘッド（ＲＨ）、リモート無線ヘッド（ＲＲＨ）、中継又は低電力ノード（例えばフェムトノード、ピコノード等）を表すことができる。
【００３５】
背景技術において述べたように、ＮＲシステムのリリース１５において、ＣＳＩ−ＲＳ設定及びＴＣＩ状態設定は、１つのＴＲＰ／パネルに基づく。ＮＲにおいて、ＣＳＩレポートについて、ＤＬ  ＤＭＲＳ設計の１つのＰＤＳＣＨには同一シーケンスが用いられることが合意されている。具体的に、ＵＥに、「ｃｒｉ−ＲＳＲＰ」、「ｃｒｉ−ＲＩ−ＰＭＩ−ＣＱＩ」、「ｃｉｒ−ＲＩ−ｉ１」、「ｃｉｒ−ＲＩ−ｉ１−ＣＱＩ」、「ｃｉｒ−ＲＩ−ＣＱＩ」又は「ｃｒｉ−ＲＩ−ＬＩ−ＰＭＩ−ＣＱＩ」に設定される高レイヤパラメータＲｅｐｏｒｔＱｕａｎｔｉｔｙを有するＣＳＩ−ＲｅｐｏｒｔＣｏｎｆｉｇが設定され、チャネル測定のための対応するリソースセットに、Ｋｓ＞１個のリソースが設定される場合、ＵＥは、レポートするＣＲＩを条件とするＣＲＩ以外のＣＳＩパラメータを取得しなければならない。ここでＣＲＩ  ｋ（ｋ≧０）は、対応するｎｚｐ−ＣＳＩ−ＲＳ−ＲｅｓｏｕｒｃｅＳｅｔにおいてチャネル測定のための関連するｎｚｐ−ＣＳＩ−Ｒｅｓｏｕｒｃｅの設定される第（ｋ＋１）項目、及び対応するｃｓｉ−ＩＭ−ＲｅｓｏｕｒｃｅＳｅｔにおける関連するｃｓｉ−ＩＭ−Ｒｅｓｏｕｒｃｅの第（ｋ＋１）項目（設定される場合）に対応する。Ｋｓ＝２ＣＳＩ−ＲＳ個のリソースが設定される場合、各リソースは、最多で１６個のＣＳＩ−ＲＳポートを含まなければならない。２＜Ｋｓ≦８個のＣＳＩ−ＲＳリソースが設定される場合、各リソースは最多でＣＳＩ＿ＲＳポートを含まなければならない。
【００３６】
説明を目的として、表１にＮＲシステムにおけるＣＳＩレポート構成を示す。
表１  ＮＲシステムにおけるＣＳＩレポート構成
2021534602.tif 000003
【００３７】
複数のＴＲＰ送信に対し、ＴＲＰはＱＣＬを行わない。したがって、単一ＴＲＰ送信のためのＣＳＩ測定及びレポートの解決手段は、複数のＴＲＰ／パネル送信に応用することができない。
【００３８】
本開示の実施形態では、ＣＳＩレポートの解決手段が提供される。基本的概念は、端末機器により、ＣＳＩ取得のためのＣＳＩ−ＲＳリソースセットに対して、複数のＣＳＩレポートを送信するというものである。複数のＣＳＩレポートを利用することで、端末機器に対し複数のＴＲＰ／パネル送信をイネーブルにすることができる。また、ＣＳＩシグナリングのオーバーヘッドを減らすために、オフセット値指示も提供される。
【００３９】
本開示のいくつかの実施形態において、端末機器は、ＣＳＩ取得のためのＣＳＩ−ＲＳリソースセットに対し、端末機器にサービスを提供する複数のＴＲＰのうちの第１ＴＲＰに関する第１ＣＳＩレポートを送信する。また、ＣＳＩ−ＲＳリソースセットに対し、端末機器にサービスを提供する複数のＴＲＰのうちの第２ＴＲＰに関する第２ＣＳＩレポートを送信する。ネットワーク機器は、第１ＴＲＰに関する第１ＣＳＩレポート及び第２ＴＲＰに関する第２ＣＳＩレポートを受信し、この２つのレポートからＣＳＩ情報を取得する。理解すべき点として、本明細書に開示の基本的概念は、複数のパネル送信にも用いることができる。ここで、パネルとは、ネットワーク機器及び／又はユーザ端末機器上の一群のアンテナを指し、複数のパネル送信とは、単一のユーザ機器に対し複数のパネルを用いる送信を指す。この基本的概念を複数のパネル送信に応用する場合、複数のＴＲＰ送信のためのＴＲＰに対してではなく、対応するパネルに対して、ＣＳＩ測定及びＣＳＩレポートを行う。
【００４０】
以下、図２〜図９を参照して、複数のＴＲＰ送信を例に、本開示で提供する解決手段について詳細に説明する。しかしながら、理解すべき点として、以下の実施形態は説明を目的として示されるものにすぎず、本開示はこれに限定されない。特に、本明細書で説明する異なる実施形態は、技術的観点から可能であれば、単独で或いは別々に、又は任意の適切な方式の組み合せにより、実現することができる。
【００４１】
図２は、本開示のいくつかの実施形態による、複数のＴＲＰ送信についてのＣＳＩレポートを端末機器で送信するための方法のフローチャートを概略的に示す。方法２００は、端末機器（例えば、ＵＥ等の端末機器又は他の類似デバイス）において実行することができる。
【００４２】
図２に示すように、ステップ２１０において、端末機器は、ＣＳＩ取得のためのＣＳＩ−ＲＳリソースセットに対し、端末機器にサービスを提供する複数のＴＲＰのうちの第１ＴＲＰに関する第１ＣＳＩレポートを送信する。
【００４３】
ＣＳＩレポーティングは、ネットワーク機器により設定することができる。例えば、ＣＳＩレポートは周期的又は半永久的に送信することができる。又は選択的に、ＣＳＩレポートは、ネットワーク機器からレポーティングリクエストの受信に応じて送信されてもよい。ＣＳＩをレポートするタイミングになったとき、又はレポーティングリクエストの受信に応じ、端末機器は１つのＣＳＩ−ＲＳリソースセットの中から、複数のＴＲＰ送信に関係するＴＲＰ毎に、ＣＳＩ−ＲＳリソースを選択することができる。その後、端末機器は、ＴＲＰ毎に選択したＣＳＩ−ＲＳリソースを用いて、ＣＳＩ測定を実行し、各ＴＲＰについてＣＳＩ情報を取得する。ＣＳＩ取得のための１つのＣＳＩ−ＲＳリソースセットに対して、端末機器は複数のＴＲＰに対しＣＳＩレポートの複数のセットを送信することができ、例えば、ＴＲＰ毎に１つのレポートを送信することができる。
【００４４】
こうして、端末機器はネットワーク機器に向けて第１ＴＲＰに関する第１ＣＳＩレポートを送信することができる。第１ＣＳＩレポートは第１ＴＲＰのＣＳＩ−ＲＳリソース指示（ＣＲＩ：CSI-RS resource indication）及びランク指示（ＲＩ：rank indication）を含むことができる。ＣＲＩは、ＣＳＩ取得又は測定において端末機器に用いられるＣＳＩ−ＲＳリソースを示す。ＲＩは、端末機器によってサポートされるレイヤの最大数を示す。本開示のいくつかの実施形態において、ＣＳＩレポートはさらに、第１ＴＲＰのプリコーディング行列インジケータ（ＰＭＩ：precoding matrix indicator）、チャネル品質指標（ＣＱＩ：channel quality indicator）及びレイヤ指示（ＬＩ：layer indication）等のうちのいずれかを含むことができる。ＰＭＩはプリコーディング行列のインデックスを示し、ＣＱＩはチャネル品質を示し、ＬＩは最良のチャネル品質を有するレイヤを示す。
【００４５】
ステップ２２０において、端末機器はＣＳＩ−ＲＳリソースセットに対し、端末機器にサービスを提供する複数のＴＲＰのうちの第２ＴＲＰに関する第２ＣＳＩレポートを送信する。
【００４６】
第１ＣＳＩレポートと同様に、第２ＣＳＩレポートは第２ＴＲＰのＣＲＩ及びランク指示ＲＩを含むことができる。本開示のいくつかの実施形態において、ＣＳＩレポートはさらに、第２ＴＲＰのＰＭＩ、ＣＱＩ及びレイヤ指示等のうちのいずれかを含むことができる。
【００４７】
本開示のいくつかの実施形態において、第１ＣＳＩレポートは第１ＴＲＰの絶対ＲＩを示すＲＩ値を含むことができ、第２ＣＳＩレポートは第１ＴＲＰのＲＩ値に対するオフセット値を使用して、第２ＴＲＰのＲＩ値を示すことができる。この方法によって、ＣＳＩレポートのシグナリングのオーバーヘッドを減少させることができる。
【００４８】
説明を目的として、２つのＴＲＰによる送信を例に、ＲＩのオフセットによる指示に関する実施形態について説明する。
【００４９】
図３は、本開示のいくつかの実施形態による、２つのＴＲＰによるデュアルＴＲＰ送信に係るレイヤ数の可能な組合せを示す。現在の合意内容によれば、ＮＲシステムは最多で８レイヤの送信をサポートするため、デュアルＴＲＰ送信のレイヤ数の組合せは、ＴＲＰ  １のレイヤ１〜８及びＴＰＲ  ２のレイヤ０〜８の結合を含むことができる。ここで、レイヤ０は、ＴＲＰ  ２が送信に係らないことを示す。したがって、図３に示す可能な組合せが得られる。
【００５０】
しかしながら、現在の合意内容によると、レイヤの総数は８を超えてはならず、コードワード数は２を超えてはならない。したがって、図の符号３１０が示す通信は使用不可能である。また、２つのＴＲＰのレイヤ数の差異をさらに制限することで、いくつかの組合せをさらに排除することができる。複数のＴＲＰ送信において、２つのＴＲＰは、基本的に類似の空間多重化能力を有することができるため、２つのＴＲＰのレイヤ差を一レイヤ以内に制限することが可能である。したがって、図の符号３２０Ａ及び３２０Ｂが示す組合せも、使用不可能である。
【００５１】
これらの使用不可能な組合せを排除すると、図４に示す組合せが得られる。注意すべき点として、図４に示す組合せは説明を目的とするもので、本開示はこれに限定されない。いくつかの実施形態において、組合せ３１０のみを排除し、組合せ３２０Ａ及び３２０Ｂを最終的な組合せに含めることができる。説明を目的として、図４に示す組合せを参照して、本開示の実施形態を説明する。
【００５２】
本開示のいくつかの実施形態において、ＣＳＩレポートに用いられるビット数は、以下のパラメータのうち少なくとも１つによって決めることができる。すなわち、各ＣＳＩ−ＲＳリソースに用いられるポート数（例えば、Ｐと表す）、コードブックサブセット制限（ＣＢＳＲ：Codebook Subset Restriction）に設定された、許可されたＲＩ値の数（例えば、ｎＲＩと表す）、及び、１つのＣＳＩ−ＲＳリソースセットのうちのＣＳＩ−ＲＳリソース数（例えば、Ｎと表す）によって決めることができる。
【００５３】
ＣＳＩレポーティングについて、２つのＣＳＩレポートのうちの１つは、ＲＩの絶対値を含むことができる。ＲＩ値は、コードブックサブセット制限（ＣＢＳＲ：Codebook Subset Restriction）の制限を受ける可能性がある。２つのＣＳＩレポートのうちのもう１つについては、ＲＩは、第１ＴＲＰのＲＩ値に対するオフセット値を用いて示すことができる。図４に示すこれらの組合せに対しては、２ビットでオフセット値を示すことができる。
表２  ＲＩオフセットの例示表
2021534602.tif 000004
【００５４】
表２において、オフセットは正の値、負の値又は０を示すことができる。言い換えると、オフセットは、ＲＩ値が、レポートするランク指示の絶対値より高い、低い又はそれと等しいことを示すことができる。「００」、「０１」、「１０」を使用することで、１行目の組合せ以外の組合せを示すことができ、「１１」を使用することで、１行目のＲＩの１つが０である組合せを示すことができる。ＲＩを絶対値で表す場合、レイヤ０〜４又はレイヤ１〜レイヤ８を示すのに、最多で３ビットが必要となる。オフセット値を利用することで、２ビットのみで同一のＲＩの範囲を示すことができる。したがって、ＣＳＩレポートのシグナリングのオーバーヘッドを減少させることができる。
【００５５】
本開示のいくつかの実施形態において、２つのＴＲＰのうち、ＣＳＩがＲＩの絶対値を含む１つのＴＲＰを動的に選択することができる。そしてこのような状況では、より高い又はより低いランク指示値を有する１つのＴＲＰを、絶対値で示されるＲＩを有するＴＲＰとして選択することができる。したがって、オフセット値は、負の値又は正の値を示すことができる。このようにして、さらに多くの組合せをサポートするか、又はシグナリングのオーバーヘッドをさらに減少させることができる。
【００５６】
表３は、本開示のいくつかの実施形態によるＲＩオフセットの別の例示表を示す。
表３  ＲＩオフセットの例示表
2021534602.tif 000005
【００５７】
該表によれば、「００」、「０１」を使用することで、１行目の組合せ以外の組合せを示すことができ、さらに例えば「１１」を使用することで、１行目のＲＩの１つが０である組合せを示すことができる。また、さらに大きなＲ１の差分範囲を示すことができる。これは、全て又は部分的に排除される組合せ３２０Ａ及び３２０Ｂを、最終的な組合せに含められることを示す。
【００５８】
本開示のいくつかの実施形態において、より大きいランク指示値を有する１つのＴＲＰを、絶対値で示されるＲＩを有するＴＲＰとして選択することができる。これは、ＣＲＩがＣＳＩ−ＲＳのインデックスを示すことができるため、実行可能である。この方法により、オフセット値は負の値を示すことができる。言い換えれば、オフセット値は、ランク指示値がレポートするランク指示の絶対値以下であることを示す。例えば、ＴＲＰ  １のＲＩが２で、ＴＲＰ  ２のＲＩが３であれば、ＴＲＰ  ２について、絶対値が３であるＲＩをレポートし、ＴＲＰ  １についてはオフセット値の「１」をレポートする。ＴＲＰ  １のＲＩ値は、レポートする絶対値及びオフセット値に基づき、２（＝３−１）であると確定することができる。もう１つの例示として、ＴＲＰ  １のＲＩが２で、ＴＲＰ  ２のＲＩが１である場合、ＴＲＰ  １については絶対値が２であるＲＩをレポートし、ＴＲＰ  ２についてはオフセット値「１」をレポートする。ＴＲＰ  ２のＲＩ値は、レポートする絶対値及びオフセット値に基づき、１（＝２−１）であると確定することができる。
【００５９】
本開示のいくつかの実施形態において、より低いランク指示値を有する１つのＴＲＰを、絶対値で示されるＲＩを有するＴＲＰとして選択することができる。この方法により、オフセット値は正の値を示すことができる。言い換えれば、オフセット値は、ランク指示値が、レポートするランク指示の絶対値以上であることを示す。このような状況では、レポートするオフセット値を有するＲＩ値は、レポートする絶対値及びオフセット値の和であると確定することができる。
【００６０】
表４は、本開示のいくつかの実施形態による、１ビットしか使用しないＲＩオフセットの別の例示表を示す。
表４  ＲＩオフセットの例示表
2021534602.tif 000006
【００６１】
該表によれば、「０」、「１」を使用することで、１行目の組合せ以外の組合せを示すことができる。一方、図５で突出して表示された１行目のＲＩの１つが０である組合せに対しては、異なる解決手段を用いることができる。
【００６２】
本開示のいくつかの実施形態において、２つのＣＳＩレポートにおけるＲＩのレポート値は、組合せの値であり得る。例えば、２つのＣＳＩレポートについて、ＲＩは１つのフィールドを利用してレポートされ、該フィールドの値は、２つのＲＩ値（第１ＲＩ、第２ＲＩ）の１つの組合せを示すことができる。また、第１ＲＩ及び第２ＲＩの組合せの許可される数は、以下に挙げる少なくとも一つパラメータの異なる値により異なっていてよい。すなわち、各ＣＳＩ−ＲＳリソースに用いられるポート数（例えば、Ｐと表す）、コードブックサブセット制限（ＣＢＳＲ：Codebook Subset Restriction）に設定された、許可されたＲＩ値の数（例えば、ｎＲＩと表す）、及び、１つのＣＳＩ−ＲＳリソースセットのうちのＣＳＩ−ＲＳリソース数（例えば、Ｎと表す）により、異なっていてよい。本開示のいくつかの実施形態において、より大きいランク指示値を有する１つのレポートを、レポートするＲＩの組合せのうちの第１の値として選択することができる。このような状況では、レポートするＲＩの組合せのうち第１の値は、レポートするＲＩの組合せのうちの第２の値以上であり得る。すなわち、ＲＩの組合せ（第１ＲＩ、第２ＲＩ）において、第１ＲＩ≧第２ＲＩであるため、オーバーヘッドをさらに減少させることができる。いくつかの実施形態では、より低いランク指示値を有する１つのレポートを、レポートするＲＩの組合せのうちの第１の値として選択することができる。このような状況では、レポートするＲＩの組合せのうちの第１の値は、第２の値以下であり得る。すなわち、ＲＩの組合せ（第１ＲＩ、第２ＲＩ）において、第１ＲＩ≦第２ＲＩであるため、オーバーヘッドをさらに減少させることができる。
【００６３】
本開示のいくつかの実施形態において、ＲＩ値が０であれば、該ＴＲＰに対するＲＩレポートがないことを示す。このような状況では、他のパラメータにより示すことが可能であり、オフセット値でＲＩ値が「０」であることを示す必要はない。例えば、０でないＲＩ値を有するＣＳＩの１つのセットのみをレポートすることができる。１つ又は複数のビットを用いて、１つのＣＳＩレポート及び複数のＣＳＩレポートのどちらをレポートするのかを示すことができる。例えば、１つのＣＳＩレポートのみを示す場合、ＵＥレポートからのレイヤ総数は、レポートするＣＳＩレポートにおけるＲＩ値である。２つのＣＳＩレポートを示す場合、ＵＥレポートからのレイヤ総数は、２つのＣＳＩレポートにそれぞれ含まれる２つの実際のＲＩ値の総和である。また、複数のＣＳＩレポートをレポートする場合、１つのセットにおいて、ＲＩの値を４以下に制限することができる。選択的に、２つのＲＩ値のうち１つが０である場合、同じＣＳＩ情報を有する２つのＣＳＩレポートをレポートしてもよい。例えば、２つのＣＲＩレポートの値及び／又は２つのＣＳＩレポートのうちのＲＩ値が同じ場合、実際には、１つのＣＳＩのみが有効である。このような状況では、ＵＥレポートからのレイヤ総数は、第１ＣＳＩレポート又は第２ＣＳＩレポートのうち１つのＣＳＩレポートのみのＲＩ値である。２つのＣＳＩレポートにおけるＣＲＩ値が異なる場合、２つのＣＳＩレポートが有効になり、ＵＥレポートからのレイヤ総数は、２つの実際のＲＩ値の総和であると確定することができる。
【００６４】
ある１つの実施形態において、ＣＳＩ−ＲＳリソースセットの各ＣＳＩ−ＲＳリソースに用いられるポート数がＰ＝１であると、各ＣＳＩレポートにおけるＣＲＩレポートのビット数はｃｅｉｌ（ｌｏｇ２（Ｎ））であり、各ＣＳＩレポートにおけるＲＩレポートのビット数は０である。２つのＣＳＩレポートにおけるＣＲＩの２つの値が同じである場合、ＵＥレポートからのＲＩの総数は１である。２つのＣＳＩレポートにおけるＣＲＩの２つの値が異なる場合、ＵＥレポートからのＲＩの総数は２である。
【００６５】
別の実施形態において、ＣＳＩ−ＲＳリソースセットの各ＣＳＩ−ＲＳリソースに用いられるポート数がＰ＝２であると、各ＣＳＩレポートにおけるＣＲＩレポートのビット数はｃｅｉｌ（ｌｏｇ２（Ｎ））であり、第１ＣＳＩレポートにおけるＲＩレポートのビット数はｍｉｎ（１，ｃｅｉｌ（ｌｏｇ２（ｎＲＩ））である。例えば、許可されたＲＩ値の数がｎＲＩ＝１である場合、各ＣＳＩレポートにおけるＲＩレポートのビット数は０である。さらに例えば、許可されたＲＩ値の数がｎＲＩ＝２である場合、各ＣＳＩレポートにおけるＲＩのレポート値は、｛１，２｝からの絶対ＲＩ値であり得る。また、各ＣＳＩレポートにおけるＲＩレポートのビット数は１である。さらに例えば、許可されたＲＩ値の数がｎＲＩ＝２である場合、第１ＣＳＩレポートにおけるＲＩのレポート値は、｛１，２｝からの絶対値であってよく、第１ＣＳＩレポートにおけるＲＩレポートのビット数は１で、第２ＣＳＩレポートにおけるＲＩのレポート値は表２、表３又は表４に示すオフセット値であってよく、第２ＣＳＩレポートにおけるＲＩレポートのビット数は、表２、表３又は表４に対してそれぞれ２、２又は１であってよい。さらに例えば、許可されたＲＩ値の数がｎＲＩ＝２である場合、２つのＣＳＩレポートのＲＩのレポート値は、｛（１、１）、（１、２）、（２、１）、（２、２）｝のうちの少なくとも１つからであり得る。さらに、ＲＩの組合せレポートのビット数は２である。さらに例えば、許可されたＲＩ値の数がｎＲＩ＝２である場合、２つのＣＳＩレポートのＲＩのレポート値は、｛（１，１），（１，２），（２，２）｝のうちの少なくとも１つ、又は｛（１，１），（２，１），（２，２）｝のうちの少なくとも１つからであり得る。さらに、ＲＩの組合せレポートのビット数は２である。
【００６６】
ある１つの実施形態において、ＣＳＩ−ＲＳリソースセットの各ＣＳＩ−ＲＳリソースに用いられるポート数がＰ＝４であると、各ＣＳＩレポートにおけるＣＲＩレポートのビット数はｃｅｉｌ（ｌｏｇ２（Ｎ））である。例えば、許可されたＲＩ値の数がｎＲＩ＝１である場合、各ＣＳＩレポートにおけるＲＩレポートのビット数は０である。さらに例えば、許可されたＲＩ値の数がｎＲＩ＝２である場合、各ＣＳＩレポートにおけるＲＩのレポート値は、｛１，２，３，４｝のうちの２つの値からの絶対値ＲＩであり得る。また、各ＣＳＩレポートにおけるＲＩレポートのビット数は１である。さらに例えば、許可されたＲＩ値の数がｎＲＩ＝３又は４である場合、各ＣＳＩレポートにおけるＲＩのレポート値は、｛１，２，３，４｝のうちの３つの値又は４つの値からの絶対ＲＩ値であり得る。また、各ＣＳＩレポートにおけるＲＩレポートのビット数は２である。さらに例えば、許可されたＲＩ値の数がｎＲＩ＝２である場合、第１ＣＳＩレポートにおけるＲＩのレポート値は、｛１，２，３，４｝のうちの２つの値からの絶対値であってよく、第１ＣＳＩレポートにおけるＲＩレポートのビット数は１であってよく、第２ＣＳＩレポートにおけるＲＩのレポート値は表２、表３又は表４に示すオフセット値であってよく、さらに、第２ＣＳＩレポートにおけるＲＩレポートのビット数は、表２、表３又は表４に対してそれぞれ２、２又は１であってよい。さらに例えば、許可されたＲＩ値の数がｎＲＩ＝３又は４である場合、第１ＣＳＩレポートにおけるＲＩのレポート値は、｛１，２，３，４｝のうちの３つ又は４つの値からの絶対値であってよく、さらに、第１ＣＳＩレポートにおけるＲＩレポートのビット数は２であってよく、第２ＣＳＩレポートにおけるＲＩのレポート値は表２、表３又は表４に示すオフセット値であってよく、さらに、第２ＣＳＩレポートにおけるＲＩレポートのビット数は、表２、表３又は表４に対してそれぞれ２、２又は１であってよい。さらに例えば、２つのＣＳＩレポートにおけるＲＩのレポート値は組合せの値であってよく、２つのＣＳＩレポートのＲＩの組合せレポート値は、｛（１，１），（１，２），（１，３），（１，４），（２，１），（２，２），（２，３），（２，４），（３，１），（３，２），（３，３），（３，４），（４，１），（４，２），（４，３），（４，４）｝のうちの少なくとも１つ、又は｛（１，１），（１，２），（２，１），（２，２），（２，３），（３，２），（３，３），（３，４），（４，３），（４，４）｝のうちの少なくとも１つからであってよく、さらに、ＲＩの組合せレポートのビット数は４である。さらに例えば、２つのＣＳＩレポートにおけるＲＩのレポート値は組合せの値であってよく、２つのＣＳＩレポートのＲＩの組合せレポート値は、｛（１，１），（１，２），（１，３），（１，４），（２，１），（２，２），（２，３），（２，４），（３，３），（３，４），（４，４）｝のうちの少なくとも１つ、又は｛（１，１），（２，１），（２，２），（３，１），（３，２），（３，３），（４，１），（４，２），（４，３），（４，４）｝のうちの少なくとも１つからであってよく、さらに、ＲＩの組合せレポートのビット数は４である。さらに例えば、２つのＣＳＩレポートにおけるＲＩのレポート値は組合せの値であってよく、２つのＣＳＩレポートのＲＩの組合せレポート値は、｛（１，１），（１，２），（２，２），（２，３），（３，３），（３，４），（４，４）｝のうちの少なくとも１つ、又は｛（１，１），（２，１），（２，２），（３，２），（３，３），（４，３），（４，４）｝のうちの少なくとも１つからであってよく、さらに、ＲＩの組合せレポートのビット数は３である。また、許可されたＲＩ値の数に基づき、制限されたＲＩ値を有する組合せを排除することができ、ＲＩの組合せレポートのビット数をさらに減少させることができる。
【００６７】
ある１つの実施形態において、ＣＳＩ−ＲＳリソースセットにおける各ＣＳＩ−ＲＳリソースに用いられるポート数がＰ＞４である場合、例えばＰは８、１２、１６、２４又は３２であり得る。各ＣＳＩレポートにおけるＣＲＩのビット数はｃｅｉｌ（ｌｏｇ２（Ｎ））である。例えば、許可されたＲＩ値の数がｎＲＩ＝１である場合、各ＣＳＩレポートにおけるＲＩレポートのビット数は０である。さらに例えば、許可されたＲＩ値の数がｎＲＩ＝２である場合、各ＣＳＩレポートにおけるＲＩのレポート値は｛１，２，３，４，５，６，７，８｝のうちの２つの値からの絶対ＲＩ値であり得る。また、各ＣＳＩレポートにおけるＲＩレポートのビット数は１である。さらに例えば、許可されたＲＩ値の数がｎＲＩ＝３又は４である場合、各ＣＳＩレポートにおけるＲＩのレポート値は、｛１，２，３，４，５，６，７，８｝のうちの３つの値又は４つの値からの絶対ＲＩ値であり得る。また、各ＣＳＩレポートにおけるＲＩレポートのビット数は２である。さらに例えば、許可されたＲＩ値の数がｎＲＩ＝５、６、７又は８である場合、各ＣＳＩレポートにおけるＲＩのレポート値は、｛１，２，３，４，５，６，７，８｝のうちの５つの値、６つの値、７つの値又は８つの値からの絶対ＲＩ値であり得る。また、各ＣＳＩレポートにおけるＲＩレポートのビット数は３である。さらに例えば、許可されたＲＩ値の数がｎＲＩ＝２である場合、第１ＣＳＩレポートにおけるＲＩのレポート値は、｛１，２，３，４，５，６，７，８｝のうちの２つの値からの絶対値であってよく、さらに、第１ＣＳＩレポートにおけるＲＩレポートのビット数は１であってよく、さらに、第２ＣＳＩレポートにおけるＲＩのレポート値は表２、表３又は表４に示すオフセット値であってよく、さらに、第２ＣＳＩレポートにおけるＲＩレポートのビット数は、表２、表３又は表４に対してそれぞれ２、２又は１であってよい。さらに例えば、許可されたＲＩ値の数がｎＲＩ＝３又は４である場合、第１ＣＳＩレポートにおけるＲＩのレポート値は、｛１，２，３，４，５，６，７，８｝のうちの３つ又は４つの値からの絶対値であってよく、さらに、第１ＣＳＩレポートにおけるＲＩレポートのビット数は２であってよく、第２ＣＳＩレポートにおけるＲＩのレポート値は表２、表３又は表４に示すオフセット値であってよく、さらに、第２ＣＳＩレポートにおけるＲＩレポートのビット数は、表２、表３又は表４に対してそれぞれ２、２又は１であってよい。さらに例えば、許可されたＲＩ値の数がｎＲＩ＝５、６、７又は８である場合、第１ＣＳＩレポートにおけるＲＩのレポート値は、｛１，２，３，４，５，６，７，８｝のうちの５つの値、６つの値、７つの値又は８つの値からの絶対値であってよく、さらに、第１ＣＳＩレポートにおけるＲＩレポートのビット数は３であってよく、第２ＣＳＩレポートにおけるＲＩのレポート値は表２、表３又は表４に示すオフセット値であってよく、さらに、第２ＣＳＩレポートにおけるＲＩレポートのビット数は、表２、表３又は表４に対してそれぞれ２、２又は１であってよい。さらに例えば、２つのＣＳＩレポートにおけるＲＩのレポート値は組合せの値であってよく、２つのＣＳＩレポートのＲＩの組合せレポート値は、｛（１，１），（１，２），（１，３），（１，４），（２，１），（２，２），（２，３），（２，４），（３，１），（３，２），（３，３），（３，４），（４，１），（４，２），（４，３），（４，４）｝のうちの少なくとも１つ、又は｛（１，１），（１，２），（２，１），（２，２），（２，３），（３，２），（３，３），（３，４），（４，３），（４，４）｝のうちの少なくとも１つからであってよく、さらに、ＲＩの組合せレポートのビット数は４である。さらに例えば、２つのＣＳＩレポートにおけるＲＩのレポート値は組合せの値であってよく、２つのＣＳＩレポートのＲＩの組合せレポート値は、｛（１，１），（１，２），（１，３），（１，４），（２，１），（２，２），（２，３），（２，４），（３，３），（３，４），（４，４）｝のうちの少なくとも１つ、又は｛（１，１），（２，１），（２，２），（３，１），（３，２），（３，３），（４，１），（４，２），（４，３），（４，４）｝のうちの少なくとも１つからであってよく、さらに、ＲＩの組合せレポートのビット数は４である。そして例えば、２つのＣＳＩレポートにおけるＲＩのレポート値は組合せの値であってよく、さらに、２つのＣＳＩレポートのＲＩの組合せレポート値は、｛（１，１），（１，２），（２，２），（２，３），（３，３），（３，４），（４，４）｝のうちの少なくとも１つ、又は｛（１，１），（２，１），（２，２），（３，２），（３，３），（４，３），（４，４）｝のうちの少なくとも１つからであってよく、さらに、ＲＩの組合せレポートのビット数は３である。また、許可されたＲＩ値の数に基づき、制限されたＲＩ値を有する組合せを排除することができ、ＲＩの組合せレポートのビット数をさらに減少させることができる。
【００６８】
本開示のもう１つの態様では、ビームスイーピング（beam sweeping）のためのＣＳＩレポーティングの解決手段が提供される。ビームレポーティングには、ビームスイーピングモードを制御するためのパラメータ「繰り返し」が存在する。第１モードでは、パラメータ「繰り返し」は「オン」に設定され、この状況では、ネットワーク機器はビームスイーピング期間に同一のビームを使用し、端末機器は受信ビームを選択することができる。第２モードでは、パラメータ「繰り返し」は「オフ」に設定され、このような状況では、ネットワーク機器はビームスイーピング期間に異なるビームでシグナリングを送信し、端末機器はネットワーク機器により使用される異なるビームの中から送信ビームを選択することができる。
【００６９】
第１モードでは、端末機器によりレポートされるｒｅｐｏｒｔＱｕａｎｔｉｔｙは、「ｃｒｉ−ＲＳＲＰ」又は「ｎｏｎｅ」（何もレポートしない）であり得る。第２モードでは、端末機器は「ｃｒｉ−ＲＳＲＰ」をレポートすることができる。現在の技術では、ＲＳＲＰがレポートされる場合、常にＣＲＩ又はＳＳＢＲＩと結合されることが求められるが、パラメータ「繰り返し」が「オン」に設定されているときは、どのＣＲＩもレポートされない。しかしながら、パラメータ「繰り返し」が「オン」に設定されているとしても、ＣＳＩレポーティングは有益である可能性がある。その理由は、固定された送信ビームの品質がネットワーク機器にフィードバックされることで、ネットワーク機器が、固定された送信ビームが理想的なチャネル品質を有していない状況を、知ることができるからである。
【００７０】
本開示のいくつかの実施形態では、パラメータ「繰り返し」が「オン」に設定された場合に、ｃｒｉ−ＲＳＲＰの代わりに、新たなｒｅｐｏｒｔＱｕａｎｔｉｔｙを用いてＣＳＩをレポートすることができる。パラメータ「繰り返し」が「オン」に設定されている場合、新たなｒｅｐｏｒｔＱｕａｎｔｉｔｙは、ＣＳＩをレポートするための「ＲＳＲＰ」又は「ＳＩＮＲ」に関する情報を含むことができる。
【００７１】
本開示のいくつかの実施形態では、端末機器はｒｅｐｏｒｔＱｕａｎｔｉｔｙ「ｃｒｉ−ＲＳＲＰ」を用いてＣＳＩをレポートする。ｒｅｐｏｒｔＱｕａｎｔｉｔｙ「ｃｒｉ−ＲＳＲＰ」は、測定したＣＲＩ又はＳＳＢＲＩ及びＲＳＲＰに関する情報を含むことができる。但し、パラメータ「繰り返し」が「オン」に設定されている場合、ネットワーク機器は、ＣＲＩ又はＳＳＢＲＩのレポート値を無視し、ＲＳＲＰのレポート値に関する情報のみを取得する。
【００７２】
本開示のいくつかの実施形態では、端末機器は依然としてｒｅｐｏｒｔＱｕａｎｔｉｔｙ「ｃｒｉ−ＲＳＲＰ」を用いてＣＳＩをレポートする。このような状況では、ｒｅｐｏｒｔＱｕａｎｔｉｔｙ「ｃｒｉ−ＲＳＲＰ」は、ＣＲＩ又はＳＳＢＲＩ及びＲＳＲＰに関する２つの情報部分を含む。但し、パラメータ「繰り返し」が「オン」に設定されている場合、ＣＲＩ又はＳＳＢＲＩに関する情報部分は、デフォルト値又は固定値（例えば、ＣＲＩ又はＳＳＢＲＩに対する各ビットが全て０又は１である）のみを含み、測定値は含まない。このような方法で、ネットワーク機器はデフォルト値又は固定値に基づき、レポートが有用なＲＳＲＰ情報のみを含むことを知ることができる。
【００７３】
本開示のいくつかの実施形態において、パラメータ「繰り返し」が「オン」に設定されている場合、端末機器は依然としてｒｅｐｏｒｔＱｕａｎｔｉｔｙ「ｃｒｉ−ＲＳＲＰ」を用いてＣＳＩをレポートするが、ＣＲＩ又はＳＳＢＲＩに関する情報部分には、１つのセットのリソース数に関係なく、１つのビットのみを用いる。この方法によって、ＣＳＩレポートのシグナリングのオーバーヘッドをより少なくすることができる。
【００７４】
本開示のいくつかの実施形態において、複数のＴＲＰ送信に対し、複数のＴＲＰに関する複数のＣＳＩレポートは、各ＣＳＩ−ＲＳリソースセット毎に送信され、ＣＳＩ−ＲＳリソースセットは複数のリソースサブセットに分割することができる。例えば、２つのＴＲＰによる送信に対し、Ｎ個のＣＳＩ−ＲＳを含む１つのＣＩ−ＲＳリソースセットを、Ｎ／２個のＣＳＩ−ＲＳリソースをそれぞれ有する２つのＣＳＩ−ＲＳリソースサブセットに分割することができる。ＣＳＩ−ＲＳリソースサブセットにおける第１サブセットは、第１ＴＲＰのＣＳＩの取得に用いることができ、ＣＳＩ−ＲＳサブセットにおける第２サブセットは、第２ＴＲＰのＣＳＩの取得に用いることができる。このような状況では、ＣＲＩは半分のビット幅しか必要としないため、表１中のＣＲＩのビット幅はｌｏｇ２（Ｎ／２）に変わる。
表５  ＮＲシステムにおけるＣＳＩレポート構成
2021534602.tif 000007
【００７５】
図６は、本開示のいくつかの実施形態による、ＣＳＩレポートをネットワーク機器で受信するための方法のフローチャートを概略的に示す。方法６００は、ネットワーク機器（例えば、ｇＮＢの基地局又は他の類似デバイス）において実行することができる。
【００７６】
図６に示すように、まずステップ６１０において、ネットワーク機器は、ＣＳＩ取得のためのＣＳＩ−ＲＳリソースセットに対し、端末機器にサービスを提供する複数のＴＲＰのうちの第１ＴＲＰに関する第１ＣＳＩレポートを受信することができる。
【００７７】
上述したように、ＣＳＩレポーティングはネットワーク機器により設定することができる。例えば、ＣＳＩレポートは周期的に送信することができる。又は選択的に、ＣＳＩレポートは、ネットワーク機器からレポーティングリクエストの受信に応じて送信してもよい。端末機器は、ＴＲＰ毎に選択したＣＳＩ−ＲＳリソースを用いて、ＣＳＩ測定を実行した後、各ＴＲＰのＣＳＩ情報を取得することができる。ＣＳＩ取得のための１つのＣＳＩ−ＲＳリソースセットに対し、端末機器は複数のＴＲＰに対してＣＳＩレポートの複数のセットを送信することができ、ＴＲＰ毎に１つのレポートを送信することができる。
【００７８】
こうして、ネットワーク機器は第１ＴＲＰに関する第１ＣＳＩレポートを受信することができる。第１ＣＳＩレポートは第１ＴＲＰのＣＲＩ及びＲＩを含むことができる。本開示のいくつかの実施形態において、ＣＳＩレポートはさらに、第１ＴＲＰのＰＭＩ、ＣＱＩ及びＬＩ等のうちのいずれかを含むことができる。
【００７９】
続いてステップ６２０において、ネットワーク機器はＣＳＩ−ＲＳリソースセットに対し、端末機器にサービスを提供する複数のＴＲＰのうちの第２ＴＲＰに関する第２ＣＳＩレポートを受信する。第１ＣＳＩレポートと同様に、第２ＣＳＩレポートは第２ＴＲＰのＣＲＩ及びランク指示ＲＩを含むことができる。本開示のいくつかの実施形態において、ＣＳＩレポートはさらに、第２ＴＲＰのＰＭＩ、ＣＱＩ及びレイヤ指示等のうちのいずれかを含むことができる。
【００８０】
本開示のいくつかの実施形態において、第１ＣＳＩレポートは第１ＴＲＰのＲＩ値を含むことができ、第２ＣＳＩレポートは第１ＴＲＰのＲＩ値に対するオフセット値を使用して、第２ＴＲＰのＲＩ値を示すことができる。この方法によって、ＣＳＩレポートのシグナリングのオーバーヘッドを減少させることができる。このような実施形態では、ステップ６３０において、ネットワーク機器はさらに、オフセット値及び第１ＴＲＰに関するランク指示値に基づき、第２ＴＲＰに関するランク指示値を確定することができる。
【００８１】
本開示のいくつかの実施形態では、オフセット値は、第２ＴＲＰに関するランク指示値が、第１ＴＲＰに関するランク指示値より高い、低い又はそれと等しいことを示すことができる。オフセット値による指示に関する詳細な説明については、表２に関する内容を参照することができる。
【００８２】
本開示のいくつかの実施形態では、オフセット値は、第２ＴＲＰに関するランク指示値が、第１ＴＲＰに関するランク指示値以下であることを示すことができる。また、本開示のいくつかの実施形態では、オフセット値は、第２ＴＲＰに関するランク指示値が、第１ＴＲＰに関するランク指示値以上であることを示すことができる。オフセット値による指示に関する詳細な説明については、表３〜表４に関する内容を参照することができる。
【００８３】
本開示のいくつかの実施形態において、ＣＳＩ−ＲＳリソースセットは、複数のＴＲＰに対する複数のＣＳＩ−ＲＳリソースサブセットに分割することができ、ＣＳＩ−ＲＳリソースサブセットにおける第１サブセットは、第１ＴＲＰのＣＳＩの取得に用いられ、ＣＳＩ−ＲＳサブセットにおける第２サブセットは、第２ＴＲＰのＣＳＩの取得に用いられる。オフセット値による指示に関する詳細な説明については、表５に関する内容を参照することができる。
【００８４】
以上、図６を参照して、ネットワーク側で複数のＴＲＰ送信についてのＣＳＩレポーティングを受信する例示的方法を簡単に説明した。しかしながら、ネットワーク機器における操作は、基本的に、端末機器における操作と対応しており、操作に関する詳細については、図２〜図５での説明を参照できることを理解されたい。
【００８５】
図７は、本開示のいくつかの実施形態による、端末機器で複数のＴＲＰ送信についてのＣＳＩレポートを送信するための装置のブロック図を概略的に示す。装置７００は、端末機器（例えば、ＵＥ又は他の類似デバイス）において実現することができる。
【００８６】
図７に示すように、装置７００は、第１ＣＳＩレポート送信モジュール７１０と、第２ＣＳＩレポート送信モジュール７２０とを含むことができる。第１ＣＳＩレポート送信モジュール７１０は、ＣＳＩ取得のためのチャネル状態情報参照信号（ＣＳＩ−ＲＳ）リソースセットに対し、端末機器にサービスを提供する複数のＴＲＰのうちの第１ＴＲＰに関する第１ＣＳＩレポートを送信するように構成することができる。第２ＣＳＩレポート送信モジュール７２０は、ＣＳＩ−ＲＳリソースセットに対し、端末機器にサービスを提供する複数のＴＲＰのうちの第２ＴＲＰに関する第２ＣＳＩレポートを送信するように構成することができる。
【００８７】
本開示のいくつかの実施形態において、第１ＣＳＩレポートは第１ＴＲＰに関する第１ランク指示を含むことができ、第２ＣＳＩレポートは第２ＴＲＰに関する第２ランク指示を含むことができ、第１ランク指示は、第１ＴＲＰに関するランク指示値を示すことができ、第２ランク指示は、第１ＴＲＰに関するランク指示値に対するオフセット値を示すことができる。
【００８８】
本開示のいくつかの実施形態では、オフセット値は、第２ＴＲＰに関するランク指示値が、第１ＴＲＰに関するランク指示値より高い、低い又はそれと等しいことを示すことができる。
【００８９】
本開示のいくつかの実施形態では、複数のＴＲＰのうち、より大きいランク指示値を有する１つを、第１ＴＲＰとして確定することができ、オフセット値は、第２ＴＲＰに関するランク指示値が、第１ＴＲＰに関するランク指示値以下であることを示すことができる。
【００９０】
本開示のいくつかの実施形態では、複数のＴＲＰのうち、より小さいランク指示値を有する１つを、第１ＴＲＰとして確定することができ、オフセット値は、第２ＴＲＰに関するランク指示値が、第１ＴＲＰに関するランク指示値以上であることを示すことができる。
【００９１】
本開示のいくつかの実施形態において、ＣＳＩ−ＲＳリソースセットは、複数のＴＲＰに対する複数のＣＳＩ−ＲＳリソースサブセットに分割することができ、ＣＳＩ−ＲＳリソースサブセットにおける第１サブセットは、第１ＴＲＰのＣＳＩの取得に用いることができ、ＣＳＩ−ＲＳサブセットにおける第２サブセットは、第２ＴＲＰのＣＳＩの取得に用いることができる。
【００９２】
本開示のいくつかの実施形態において、第１ＣＳＩレポート及び第２ＣＳＩレポートのうちの各ＣＳＩレポートは、以下のうち１つ又は複数を含むことができる。すなわち、ＣＳＩ−ＲＳリソース指示、ランク指示、プリコーディング行列インジケータ、チャネル品質指標、及びレイヤ指示のうちの１つ又は複数を含むことができる。
【００９３】
図８は、本開示のいくつかの実施形態による、端末機器で複数のＴＲＰ送信に対するＣＳＩレポートを受信するための装置のブロック図を概略的に示す。装置８００は、ネットワーク機器又はノード（例えば、ｇＮＢ又は他の類似デバイス）において実現することができる。
【００９４】
図８に示すように、装置８００は、第１ＣＳＩレポート受信モジュール８１０と、第２ＣＳＩレポート受信モジュール８２０とを含むことができる。第１ＣＳＩレポート受信モジュール８１０は、ＣＳＩ取得のためのチャネル状態情報参照信号（ＣＳＩ−ＲＳ）リソースセットに対し、端末機器にサービスを提供する複数のＴＲＰのうちの第１ＴＲＰに関する第１ＣＳＩレポートを受信するように構成することができる。第２ＣＳＩレポート受信モジュール８２０は、ＣＳＩ−ＲＳリソースセットに対し、端末機器にサービスを提供する複数のＴＲＰのうちの第２ＴＲＰに関する第２ＣＳＩレポートを受信するように構成することができる。
【００９５】
本開示のいくつかの実施形態において、第１ＣＳＩレポートは第１ＴＲＰに関する第１ランク指示を含むことができ、第２ＣＳＩレポートは第２ＴＲＰに関する第２ランク指示を含むことができ、第１ランク指示は、第１ＴＲＰに関するランク指示値を示し、第２ランク指示は、第１ＴＲＰに関するランク指示値に対するオフセット値を示す。このような実施形態では、装置８００はさらにＲＩ値確定モジュール８３０を含むことができ、該ＲＩ値確定モジュール８３０は、オフセット値及び第１ＴＲＰに関するランク指示値に基づき、第２ＴＲＰに関するランク指示値を確定するように構成することができる。
【００９６】
本開示のいくつかの実施形態では、オフセット値は、第２ＴＲＰに関するランク指示値が、第１ＴＲＰに関するランク指示値より高い、低い又はそれと等しいことを示すことができる。
【００９７】
本開示のいくつかの実施形態では、オフセット値は、第２ＴＲＰに関するランク指示値が、第１ＴＲＰに関するランク指示値以下であることを示すことができる。
【００９８】
本開示のいくつかの実施形態では、オフセット値は、第２ＴＲＰに関するランク指示値が、第１ＴＲＰに関するランク指示値以上であることを示すことができる。
【００９９】
本開示のいくつかの実施形態において、ＣＳＩ−ＲＳリソースセットは、複数のＴＲＰに対する複数のＣＳＩ−ＲＳリソースサブセットに分割することができ、ＣＳＩ−ＲＳリソースサブセットにおける第１サブセットは、第１ＴＲＰのＣＳＩの取得に用いることができ、ＣＳＩ−ＲＳサブセットの第２サブセットは、第２ＴＲＰのＣＳＩの取得に用いることができる。
【０１００】
本開示のいくつかの実施形態において、第１ＣＳＩレポート及び第２ＣＳＩレポートのうちの各ＣＳＩレポートは、以下のうち１つ又は複数を含むことができる。すなわち、ＣＳＩ−ＲＳリソース指示、ランク指示、プリコーディング行列インジケータ、チャネル品質指標、及びレイヤ指示のうちの１つ又は複数を含むことができる。
【０１０１】
以上、図７及び図８を参照して装置７００及び８００を簡単に説明した。装置７００〜装置８００は、図２〜図６を参照して述べた機能を実現するように構成できる点に注意されたい。したがって、これらの装置におけるモジュールの操作の詳細は、図２〜図６の方法の対応するステップに関する説明を参照することができる。
【０１０２】
また、装置７００〜装置８００のコンポーネントは、ハードウェア、ソフトウェア、ファームウェア及び／又はそれらの任意の組合せにより実施できる点に注意されたい。例えば、装置７００〜８００のコンポーネントは、それぞれ、回路、プロセッサ又はその他任意の適切に選択されたデバイスにより実現することができる。
【０１０３】
当業者であれば理解できるように、以上の例示は制限ではなく説明用にすぎず、本開示はこれによって限定されない。本明細書で提供した教示内容からは、複数の変更、追加、削除及び修正が容易に考えられるが、こうした変更、追加、削除及び修正は全て、本開示の保護範囲に含まれる。
【０１０４】
また、本開示のいくつかの実施形態において、装置７００〜８００は少なくとも１つのプロセッサを含むことができる。例示として、本開示の実施形態と共に使用されるのに適した少なくとも１つのプロセッサは、既知の又は将来開発される汎用プロセッサ及び専用プロセッサの両方を含むことができる。装置７００〜８００はさらに、少なくとも１つのメモリを含むことができる。少なくとも１つのメモリは、ＲＡＭ、ＲＯＭ、ＥＰＲＯＭ、ＥＥＰＲＯＭ及びフラッシュメモリ等の半導体メモリを含むことができる。少なくとも１つのメモリは、コンピュータが実行可能な指令のプログラムを記憶するために用いることができる。該プログラムは高度及び／又は下位の互換可能な又は解釈可能な任意のプログラミング言語で記述することができる。実施形態によれば、コンピュータが実行可能な指令は、少なくとも１つのプロセッサと共に、装置７００〜８００のそれぞれに、図２〜図６を参照して述べた方法に基づく操作を少なくとも実行させるように、構成することができる。
【０１０５】
図９は、本明細書で説明したＵＥなどの端末機器として実施可能である、又は端末機器に設置可能である装置９１０、及びｇＮＢなどのネットワーク機器として実施可能である、又はネットワーク機器に設置可能である装置９２０の簡略化されたブロック図を概略的に示す。
【０１０６】
装置９１０は、少なくとも１つのプロセッサ９１１（例えばデータプロセッサ（ＤＰ））と、プロセッサ９１１に結合される少なくとも１つのメモリ（ＭＥＭ）９１２とを含む。装置９１０はさらに、プロセッサ９１１に結合される送信機ＴＸ及び受信機ＲＸ  ９１３を含むことができ、送信機ＴＸ及び受信機ＲＸ  ９１３は、装置９２０に通信接続するように操作可能である。ＭＥＭ  ９１２はプログラム（ＰＲＯＧ）９１４を記憶する。ＰＲＯＧ  ９１４は、関連するプロセッサ９１１上で実行されると、装置９１０に本開示の実施形態（例えば、方法２００）に基づき操作を行わせる指令を含むことができる。少なくとも１つのプロセッサ９１１及び少なくとも１つのメモリ９１２の組合せは、本開示の各実施形態の実現に適合する処理手段９１５を構成することができる。
【０１０７】
装置９２０は、少なくとも１つのプロセッサ９１１（例えばＤＰ）と、プロセッサ９１１に結合される少なくとも１つのＭＥＭ  ９２２とを含む。装置９２０はさらに、プロセッサ９２１に結合される適切なＴＸ／ＲＸ  ９２３を含むことができ、ＴＸ／ＲＸ  ９２３は、装置９１０と無線通信を行うように操作することができる。ＭＥＭ  ９２２はＰＲＯＧ  ９２４を記憶する。ＰＲＯＧ  ９２４は、指令を含むことができる。該指令は、関連するプロセッサ９２１上で実行されると、装置９２０に本開示の実施形態に基づき操作を行わせて、例えば方法６００を実行させることができる。少なくとも１つのプロセッサ９２１及び少なくとも１つのＭＥＭ  ９２２の組合せは、本開示の各実施形態の実現に適合する処理手段９２５を形成することができる。
【０１０８】
本開示の各実施形態は、プロセッサ９１１、９２１、ソフトウェア、ファームウェア、ハードウェア又はそれらの組合せのうちの１つ若しくは複数により実行可能なコンピュータプログラムにより実現することができる。
【０１０９】
メモリ９１２及び９２２は、ローカルの技術環境に適した任意のタイプであってよく、例として、任意の適切なデータ記憶技術により実現することができ、例えば、半導体による記憶装置、磁気記憶装置及びシステム、光学記憶装置及びシステム、固定メモリ及び移動可能メモリ等が挙げられるが、これらに限定されない。
【０１１０】
プロセッサ９１１及び９２１は、ローカルの技術環境に適した任意のタイプであってよく、例として、汎用コンピュータ、専用コンピュータ、マイクロプロセッサ、デジタル信号処理器ＤＳＰ、及びマルチコアプロセッサ構成に基づくプロセッサのうち、一つ又は複数を含むことができるが、これらに限定されない。
【０１１１】
また、本開示は、上述したようなコンピュータプログラムを含む担体を提供することができる。ここで、担体は電気信号、光信号、無線電気信号又はコンピュータ可読記憶媒体のうちの１つである。コンピュータ可読記憶媒体は例えば、ＲＡＭ（ランダムアクセスメモリ）、ＲＯＭ（リードオンリーメモリ）、フラッシュメモリ、テープ、ＣＤ−ＲＯＭ、ＤＶＤ、ブルーレイディスク等の光ディスク又は電子記憶装置であり得る。
【０１１２】
本明細書で説明した技術は、様々な手段で実現することで、実施形態で説明した対応する装置の１つ又は複数の機能を実現する装置が、従来技術の手段のみならず、実施形態で説明した対応する装置の１つ又は複数の機能を実現するための手段を含むようにすることができる。また、該装置は、単独の各機能のための単独手段を含むことができ、又は２つ若しくはより多くの機能を実行するように構成することができる手段を含むことができる。例えば、これらの技術は、ハードウェア（１つ若しくは複数の装置）、ファームウェア（１つ若しくは複数の装置）、ソフトウェア（１つ若しくは複数のモジュール）、又はそれらの組合せにより実現可能である。ファームウェア又はソフトウェアについては、本明細書で説明した機能を実行するモジュール（例えば、プロセス、機能等）によって実現可能である。
【０１１３】
以上、方法及び装置のブロック図及びフローチャートの図示を参照して、本明細書の例示的実施形態を説明した。ブロック図及びフローチャートの各ブロック並びにブロック図及びフローチャートの各ブロックの組合せは、それぞれ、コンピュータプログラムの指令を含む各種手段によって実現可能である。これらのコンピュータプログラムの指令を、汎用コンピュータ、専用コンピュータ又は他のプログラミング可能なデータ処理装置上にロードして、機器を生成することで、コンピュータ又は他のプログラミング可能なデータ処理装置上で実行される指令が、１つ又は複数のフローチャートのフレームで指定された機能を実現するための手段を作成するようにすることができる。
【０１１４】
本明細書には複数の具体的な実現の詳細が含まれるが、これらは、実現内容又は保護を請求する可能性がある内容の範囲に対する何らかの制限であると解釈されるべきではなく、具体的に実現される具体的な実施形態において特定することができる特徴に対する説明である。本明細書において、個々の実施形態の文脈において説明したいくつかの特徴は、ある一つの実現形態において組み合わせて実現されてもよい。逆に、一つの実現形態の文脈において説明された各種特徴は、それぞれ、複数の実現形態において、又は任意の適切なサブ的な組み合せにより、実現されてもよい。また、以上の説明では、特徴について、いくつかの組合せによって作用するものとして説明しており、まず、そういうものとして保護を請求することができるが、いくつかの状況においては、保護を請求する組合せのうち１つ又は複数の特徴を組合せから排除することができ、保護を請求する組合せは、サブ的な組合せ又はサブ的な組合せの変形を含むことができる。
【０１１５】
当業者にとって明らかであるように、技術の進歩に伴い、本発明の構想は、さまざまな方法により実現可能である。上述の実施形態は説明用であり、本開示を制限するものではない。また、理解すべき点として、当業者が理解しやすいものであれば、本開示の精神及び範囲を逸脱しない状況において、修正及び変更を行うことができる。このような修正及び変更は、本開示に添付の請求項の範囲に含まれると考えられる。本開示の保護範囲は、添付の特許請求の範囲により限定される。
【図１】
2021534602.tif 000008
【図２】
2021534602.tif 000009
【図３】
2021534602.tif 000010
【図４】
2021534602.tif 000011
【図５】
2021534602.tif 000012
【図６】
2021534602.tif 000013
【図７】
2021534602.tif 000014
【図８】
2021534602.tif 000015
【図９】
2021534602.tif 000016
【国際調査報告】
2021534602.tif 000017
2021534602.tif 000018